(57)【要約】【課題】短時間に蓄光が十分に行われ、照明の必要とされる方向に照明光を集中出来、かつ、移動の容易な蓄光型照明装置１を提供する。【解決手段】ＬＥＤ、蛍光灯、放電灯、タングステン灯等の光源に所定期間電力が供給されると光を発光する発光部２と、発光部２で発光される光が照射されると蓄光として蓄積し発光部２で光の発光が所定期間経過後停止されると蓄積された蓄光を放射して照明光とする照明部３と、からなる蓄光型照明装置１から構成されるものである。【選択図】  図３
2010186579.tif 000002
【特許請求の範囲】
【請求項１】
ＬＥＤ、蛍光灯、放電灯、タングステン灯等の光源に電力が供給されると光を発光する発光部と、前記発光部で発光される前記光が照射されると蓄光として蓄積し前記発光部で前記光の発光が停止されると前記蓄積された前記蓄光を放射して照明光とする照明部と、からなる蓄光型照明装置において、
前記発光部は、前記電力が供給されると前記光源から前記光を発光する光源部と、前記光源部に開始信号を入力すると所定期間前記電力を供給する電源供給部と、ＳＷが押されると前記電源供給部に入力される前記所定期間前記電力の供給開始を伝達する前記開始信号を生成するＳＷ部と、を有し、
前記照明部は、前記発光部の前記ＳＷ部で生成された前記開始信号に基づいて前記所定期間発光された前記光が照射されると前記蓄光として蓄積し前記所定期間経過後前記光の発光が停止されると前記蓄積された前記蓄光を放射する蓄光部と、を有し、
前記ＳＷ部において前記ＳＷが押されると前記所定期間発光された前記光が前記蓄光として蓄積され前記所定期間経過後前記光の発光が停止されると前記蓄積された前記蓄光を放射して照明光とすることを特徴とする蓄光型照明装置。
【請求項２】
ＬＥＤ、蛍光灯、放電灯、タングステン灯等の光源に電力を供給して光を発光する発光部と、前記発光部で発光される前記光が照射されると蓄光として蓄積し前記発光部で前記光の発光が停止されると前記蓄積された前記蓄光を放射して照明光とする照明部と、からなる蓄光型照明装置において、
前記発光部は、前記電力が供給されると前記光源から前記光を発光する光源部と、前記光源部に所定期間前記電力を供給する電源供給部と、前記電源供給部に電力の供給開始を伝達する開始信号を生成するＳＷ部と、を有し、
前記照明部は、前記発光部で前記開始信号に基づいて前記所定期間発光された前記光が照射されると前記蓄光として蓄積し前記所定期間経過後前記光の発光が停止されると前記蓄積された前記蓄光を放射する蓄光部と、前記蓄光部で放射された前記蓄光を反射して所定方向の前記照明光とする反射部と、を有し、
前記発光部の前記光源部と前記照明部の前記蓄光部とを前記所定期間の間は重ね合わせ、前記所定期間経過後は前記発光部の前記光源部と前記照明部の前記蓄光部とを重ね合わせ或いは離反させて前記照明部から前記所定方向の前記照明光を得ることを特徴とする蓄光型照明装置。 
【発明の詳細な説明】
【技術分野】
【０００１】
本発明は、ＬＥＤ、蛍光灯、放電灯、タングステン灯等の光源から放射される光を蓄光部に蓄光として蓄積し、この光源から放射される光の停止後に蓄光部に蓄積された蓄光を放射して照明光とする蓄光型照明装置に関する。
【背景技術】
【０００２】
従来、例えば、特許文献１に記載されているように、照明器具からの光を蓄光する蓄光体（蓄光部）を照明器具の近傍に設置し、照明器具からの光を蓄光体に蓄光した後、照明器具の近傍から取り外して携帯することによって、この蓄光体の蓄光を照明光として放射することにより、照明器具から遠く離れた場所を照明していた。
以下、図面を参照しつつ、従来の蓄光型照明装置について説明する。
【０００３】
図８は、従来の蓄光型照明装置における構成を示す断面図である。
【０００４】
従来の蓄光型照明装置１００は、図８に示すように、着脱可能となされた蓄光体１０１を、ソケット１０２とソケット１０２に取り付けられる光源１０３とからなる照明器具の近傍に取り付けることにより構成されている。光源１０３は、白熱灯や、発光管などである。
【０００５】
蓄光体１０１は、照明器具の近傍に装着されているときに、光源１０３からの照明光によって蓄光する。蓄光体１０１は、半透明材料により形成されており、照明器具の近傍に装着されたときに、光源１０３を覆うようになっている。
【０００６】
この実施の形態において、蓄光体１０１は、円盤状の底板部及び円錐面状の側壁部とから円錐台形状に構成されている。この蓄光体１０１の上端部は、底板部よりも大きな開口端となっており、光源１０３が挿入されるようになっている。
【０００７】
この蓄光体１０１は、光源１０３の周囲を覆って配置されるので、光源１０３が発する照明光により、直接、蓄光体１０１中の蓄光材料が励起され、蓄光体１０１の発光輝度を大きくしている。
【０００８】
この蓄光型照明装置１００において、蓄光体１０１が照明器具の近傍に装着されているときに、光源１０３が通常の使用状態となされて照明光を発することにより、この照明光による周囲の照明が行われるとともに、蓄光体１０１による蓄光が行われる。
【０００９】
このとき、光源１０３から発せられた照明光は、一部が蓄光体１０１中の蓄光材料の励起に消費され、残部が蓄光体１０１を透過して、周囲を照明する。また、蓄光材料が励起されることによって、蓄光体１０１からも照明光が発せられ、光源１０３から発せられ蓄光体１０１を透過する照明光とともに、周囲を照明する。そして、光源１０３が消灯されたときには、蓄光体１０１が発する照明光のみにより、周囲の照明が行われる。
【００１０】
そして、蓄光体１０１は、照明器具の近傍から離脱されたときに、この蓄光体１０１から発する蓄光を照明光とすることによって、照明を行う。照明器具の近傍から取外した蓄光体１０１は、無給電型の蓄光型照明装置として、携帯して使用される。
【特許文献１】特開２００８−４７３７６号公報
【発明の開示】
【発明が解決しようとする課題】
【００１１】
前述のような蓄光体を用いた従来の蓄光型照明装置においては、光を照射して十分な蓄光を行うために照明器具の近傍に着脱可能な蓄光体が配置されており、照明器具の光源から光が発生されるときには蓄光体に蓄光し、照明器具の光源から光の発生が停止されると蓄光体から蓄光が照明光として放射される。
蓄光体の形状は図８に示されるように、上端部は底板部よりも大きな開口端となっていて光源が挿入されるようになっているため光源と近接している箇所は中央部分のわずかな箇所であり、ほとんどの部分が光源から離反されている。このため、照明器具の光源から光が発生されて蓄光体全体に十分な蓄光を行うためには長時間が必要であると言う問題点があった。
また、蓄光体を照明器具から取り外して無給電型の蓄光型照明装置として用いる場合、蓄光体に蓄積されている蓄光は全方向に拡散されて放射されるため、照明の必要とされる方向にはわずかな蓄光しか放射されず、蓄光体に長時間かけて十分な蓄光を行っても照明の必要とされる方向には照明量が著しく不足してしまうと言う問題点があった。
さらに、照明器具は照明範囲を広く取るときには手の届かないような高い位置に設置されることがあり、このような時には蓄光体を照明器具の近傍から即時に取り外すことは困難であると言う問題点があった。
【００１２】
そこで、本発明は、前述の実情に鑑みて提案されるものであって、短時間に蓄光が十分に行われ、照明の必要とされる方向に照明光を集中出来、かつ、移動の容易な蓄光型照明装置を提供することを目的とする。
【課題を解決するための手段】
【００１３】
本願発明における第1の発明は、ＬＥＤ、蛍光灯、放電灯、タングステン灯等の光源に電力が供給されると光を発光する発光部２と、発光部２で発光される光が照射されると蓄光として蓄積し発光部２で光の発光が停止されると蓄積された蓄光を放射して照明光とする照明部３と、からなる蓄光型照明装置１において、発光部２は、電力が供給されると光源から光を発光する光源部２１と、光源部２１に開始信号を入力すると所定期間電力を供給する電源供給部２３と、ＳＷが押されると電源供給部２３に入力される所定期間電力の供給開始を伝達する開始信号を生成するＳＷ部２４と、を有し、照明部３は、発光部２のＳＷ部２４で生成された開始信号に基づいて所定期間発光された光が照射されると蓄光として蓄積し所定期間経過後光の発光が停止されると蓄積された蓄光を放射する蓄光部３１と、を有し、ＳＷ部２４においてＳＷが押されると所定期間発光された光が蓄光として蓄積され所定期間経過後光の発光が停止されると蓄積された蓄光を放射して照明光とすることを特徴とする蓄光型照明装置１を提供するものである。
本願発明における第２の発明は、ＬＥＤ、蛍光灯、放電灯、タングステン灯等の光源に電力を供給して光を発光する発光部２と、発光部２で発光される光が照射されると蓄光として蓄積し発光部２で光の発光が停止されると蓄積された蓄光を放射して照明光とする照明部３と、からなる蓄光型照明装置１において、発光部２は、電力が供給されると光源から光を発光する光源部２１と、光源部２１に所定期間電力を供給する電源供給部２３と、電源供給部２３に電力の供給開始を伝達する開始信号を生成するＳＷ部２４と、を有し、照明部３は、発光部２で開始信号に基づいて所定期間発光された光が照射されると蓄光として蓄積し所定期間経過後光の発光が停止されると蓄積された蓄光を放射する蓄光部３１と、蓄光部３１で放射された蓄光を反射して所定方向の照明光とする反射部３２と、を有し、発光部２の光源部２１と照明部３の蓄光部３１とを所定期間の間は重ね合わせ、所定期間経過後は発光部２の光源部２１と照明部３の蓄光部３１とを重ね合わせ或いは離反させて照明部３から所定方向の照明光を得ることを特徴とする蓄光型照明装置１を提供するものである。
【発明の効果】
【００１４】
本発明によれば、ＬＥＤ、蛍光灯、放電灯、タングステン灯等の光源に電力を供給して光を発光する発光部２と、発光部２で発光される光が照射されると蓄光として蓄積し発光部２で光の発光が停止されると蓄光を放射して照明光とする照明部３と、からなる蓄光型照明装置１において、発光部２の光源部２１と照明部３の蓄光部３１とを光が発光される所定期間の間は重ね合わせ、光が発光されない所定期間経過後は発光部２の光源部２１と照明部３の蓄光部３１とを重ね合わせ或いは離反させて照明部２から所定方向の照明光を得ることにより、短時間に蓄光が十分に行われ、照明の必要とされる方向に照明光を集中出来、かつ、移動の容易な蓄光型照明装置１を提供することが出来る。
【発明を実施するための最良の形態】
【００１５】
本発明を実施するための最良の形態について、以下の図１〜図７を用いて説明するが、本発明はかかる実施形態に限定されるものではない。
図１は、本発明の実施形態における蓄光型照明装置１の発光部２を説明するための図であり、（１）は上面を示す図であり、（２）は側面を示す図であり、（３）はＡ−Ａ断面図を示す図である。
図２は、本発明の実施形態における蓄光型照明装置１の照明部３を説明するための図であり、（１）は上面を示す図であり、（２）は側面を示す図であり、（３）はＢ−Ｂ断面図を示す図である。
図３は、本発明の実施形態における蓄光型照明装置１を説明するための図であり、（１）は上面を示す図であり、（２）は側面を示す図であり、（３）はＡＢ−ＡＢ断面図を示す図である。
図４は、本発明の実施形態における蓄光型照明装置１の発光部２の発光状態を説明するための図であり、（１）は上面を示す図であり、（２）は側面を示す図である。
図５は、本発明の実施形態における蓄光型照明装置１の照明部３の照明光の放射状態を説明するための図であり、（１）は上面を示す図であり、（２）は側面を示す図である。
図６は、本発明の実施形態における蓄光型照明装置１の発光部２の発光を説明するためのブロック図を示すための図である。
図７は、本発明の実施形態における蓄光型照明装置１の発光及び蓄光の動作を説明するための波形を示すための図である。
【実施例】
【００１６】
次に実施例を説明すると、
図１に示すように、発光部２は、ＬＥＤ、蛍光灯、放電灯、タングステン灯等の棒状の光源からなる光源部２１、光源部２１を保持するソケット２２、光源部２１に所定期間電力を供給する電源供給部２３と、跳ね返り式のＳＷを有しこのＳＷを押すと電源供給部２３に入力される所定期間電力の供給開始を伝達する開始信号を生成するＳＷ部２４を付加してなり、
図２に示すように、照明部３は、透明で円柱形状の中空のプラスチック、ガラス等の外周に蓄光材を塗布、或いは蓄光テープを貼付し光源部２１を内部に収納可能な蓄光部３１、円柱形状の中空のプラスチック、木材、金属等に開口部を設け内面にアルミ蒸着剤、白色塗料、アルミ箔等の反射部材を装着（或いは透明な円柱形状の中空のプラスチック、ガラス等の内面にアルミ蒸着剤、白色塗料、アルミ箔等の反射部材を開口部位置以外に装着）した反射部３２、プラスチック、木材、金属等からなり反射部３２に接着剤、螺子類で取り付けられる取手３３、プラスチック、木材、金属等からなり反射部３２に接着剤、螺子類で取り付けられ蓄光部３１を接着剤、螺子類で保持する内面にアルミ蒸着剤、白色塗料、アルミ箔等の反射部材を装着した保持部３４を付加してなり、
図３に示すように、蓄光型照明装置１は、所定期間光源から光を発光させる際は発光部２と照明部３を重ね合わせ、所定期間経過後は発光部２と照明部３とを重ね合わせもしくは図１、図２に示すように発光部２と照明部３とを離反させた構成とする。
尚、図６に示すように、発光部２の電源供給部２３は、ＳＷ部２４から開始信号を入力すると所定期間カウントしたカウント信号を生成するカウンター２０１、開始信号とカウント信号とを入力し所定期間の設定信号を生成する発光期間設定部２０２、蓄電池、乾電池、太陽電池等の携帯用電池と電圧調整回路を有し電力を供給する電源部２０３、設定信号と電力とを入力し所定期間電力を出力する制御部２０４とから構成される。
【００１７】
次に動作を説明する。
まず、図３（１）〜図３（３）に示すように発光部２と照明部３とを重ね合わせる。
そして、発光部２に設置されているＳＷ部２４のＳＷを押すと所定期間電源部２３からソケット２２を介して光源部２１に電力が供給され光源部２１から図４（１）、図４（２）に示される矢印方向に光が発光される。発光された光は発光部２の光源部２１に重ね合わせられている照明部３の蓄光部３１の外周（或いは内周）に塗布或いは貼付されている蓄光材に照射され蓄光として蓄積される。
【００１８】
ＳＷ部２４のＳＷが押されてから所定期間経過すると光源部２１から発光されている光は停止されて、照明部３の蓄光部３１の外周に塗布或いは貼付されている蓄光材に蓄積されている蓄光が放射されその一部分は直接照明光となるが、放射された蓄光のほとんどは反射部３２に装着されている反射材で反射されてから図５（１）、図５（２）に示す矢印方向に照明光として照射される。図５（２）に示す下方の矢印は発光部２と照明部３とを離反させた場合の照明光である。
【００１９】
このように、照明部３からは図５（１）、図５（２）に示すように照明の必要とされる方向に照明光を集中して照射出来る。
（反射部３２の反射材を除去して放射された蓄光を全方向に照明光として用いてもよいのはもちろんである。）
【００２０】
蓄光型照明装置１の詳細な動作を図６、図７を用いて説明する。
図７において開始信号Ｓ０、カウント信号Ｓ１、設定信号Ｓ３は縦軸にＯＦＦからＯＮのレベル、横軸に時間（ｔｘ）を示し、電力Ｐｉ、電力Ｐｏは縦軸に０からＥの電力レベル、横軸に時間（ｔｘ）を示し、蓄光（照明光）は縦軸に０から最大値Ｄｍａｘの蓄光量レベル、横軸に時間（ｔｘ）を示す。
【００２１】
まずＳＷ部２４のＳＷが押されて開始信号Ｓ０が一瞬ＯＮになる。この開始信号Ｓ０が一瞬ＯＮになった後の立下りのタイミングｔ０でカウンター２０１のカウントが開始され所定期間Ｔ０をカウントしてカウント信号Ｓ１を一瞬ＯＮにする。発光期間設定部２０２では開始信号Ｓ０とカウント信号Ｓ１を入力してそれぞれの立下りのタイミングで設定信号Ｓ３を所定期間Ｔ０の間ＯＮにする。
【００２２】
電源部２０３からは蓄電池、乾電池、太陽電池等の携帯用電池の電圧を光源２１に合わせて電圧調整回路で調整し供給される電力Ｐｉが出力されている。制御部２０４に電力Ｐｉと設定信号Ｓ３を入力し設定信号Ｓ３がＯＮのＴ０の所定期間電力Ｐｏを出力する。この電力Ｐｏはソケット２２を介して光源部２１に加えられ、光源２１から光を発光させる。
【００２３】
蓄光部３１の外周に塗布或いは貼付されている蓄光材には最大Ｄｍａｘの蓄光量が蓄積される。蓄光量が最大値Ｄｍａｘに達すればそれ以上蓄光材に光を照射しても飽和状態となり蓄光量は増加しない。
図７に示される蓄光量Ｄ０の実線のグラフに示されるように光源２１に電力Ｐ０を加えたときに発光する光の強さで光を蓄光材に照射する所定期間をこの蓄光材が蓄光量の最大値に達する時間Ｔ０に設定すれば電源部２０３の保有する電力を効率良く用いることが出来る。図７に示されるＤ０の点線のグラフは光源と蓄光材との距離が離れている場合で最大値に達するには長時間かかる。
【００２４】
図３に示すように光源部２１と蓄光部３１とを重ね合わせると光源部２１の外周と蓄光部３１の蓄光材は距離Ｌ０となる。この距離Ｌ０のとき蓄光材が飽和状態となる時間をＴ０とする。例えば光源部２１に１２Ｗの電球ソケットタイプの棒状蛍光灯を用いこの蛍光灯の外径を略３５ｍｍとし、蓄光部３１の外径を蓄光材に蓄光シート（アイデンティティー株式会社製）を貼付して略５３ｍｍとすると距離Ｌ０は略９ｍｍとなり所定時間Ｔ０は略３０秒となる。
【００２５】
飽和に要する所定時間は距離Ｌ０の二乗に比例するから、例えば蓄光部３１の外径を７１ｍｍとするとその時の距離Ｌ０は２倍の１８ｍｍとなり所定時間は４倍の１２０秒となる。
従って、光源部２１と蓄光部３１との重ね合わせ時の距離Ｌ０を短くするほど所定時間Ｔ０は短時間になるが、光源部２１から光と共に発生する熱の影響を少なくすることも考慮し、略７ｍｍから略１２ｍｍの間に設定する。
【００２６】
このように棒状の蛍光灯を用いて円柱状の透明な中空のプラスチック、ガラス等に塗布、或いは貼付された蓄光材に短距離から光を照射すれば短時間に蓄光を十分に行うことが出来る。
蓄積された蓄光は所定期間経過後放射されて照明光となるが、蓄光量がほぼ飽和状態であれば２時間以上蓄光による照明光が得られることは実験により確認されている。
【００２７】
従って、１２Ｗの電球ソケットタイプの棒状蛍光灯をＰ０＝１２Ｗの電力で３０秒間（＝所定期間Ｔ０）光源として発光させれば所定期間経過後蓄光部３１の蓄光材に蓄積された蓄光により２時間以上の照明光を得ることが出来る。
【００２８】
以上述べてきたように、本発明の実施形態によれば、発光部２の光源部２１と照明部３の蓄光部３１とを光が発光される所定期間の間は重ね合わせ、光が発光されない所定期間経過後は発光部２の光源部２１と照明部３の蓄光部３１とを重ね合わせ或いは離反させて照明部２から所定方向の照明光を得ることにより、短時間に蓄光が十分に行われ、照明の必要とされる方向に照明光を集中出来、かつ、蓄電池、乾電池、太陽電池等の携帯用電池を用いることにより移動の容易な蓄光型照明装置１を提供することが出来る。
【００２９】
特に、所定時間経過後発光部と照明部３を離反させ、照明部３のみを照明に用いれば携帯性をさらに良くすることが出来るので、移動がより容易となり蓄光による遠隔の照明が即時に可能となる。
【産業上の利用可能性】
【００３０】
本発明は、屋外における外灯としての利用が可能で、特に電力の供給されない山間部、未開拓地、等に容易に設置できる。また屋内の非常灯、演奏会場の演奏時に照明を消した時のガイド灯としても十分利用できる。
特に、蓄光を得るために短時間しか電力を使用しないため、携帯用電池の長期間の有効使用が可能となり、省エネルギーに効果があるのは自明である。
また、ＳＷに光センサー或いは音の感応センサーを用いれば、人が近づいた瞬間照明を開始しその後長時間無電力で照明が継続されるので、防犯や夜間の目印に役立てることが可能となる。
さらに、複数の照明部３を用意して、一つの発光部２により順次複数の照明部３の一つずつに短時間に蓄光させれば、複数の領域に照明範囲を広げることが出来る。
【図面の簡単な説明】
【００３１】
【図１】本発明の実施形態における蓄光型照明装置１の発光部２を説明するための図であり、（１）は上面を示す図であり、（２）は側面を示す図であり、（３）はＡ−Ａ断面図を示す図である。
【図２】本発明の実施形態における蓄光型照明装置１の照明部３を説明するための図であり、（１）は上面を示す図であり、（２）は側面を示す図であり、（３）はＢ−Ｂ断面図を示す図である。
【図３】本発明の実施形態における蓄光型照明装置１を説明するための図であり、（１）は上面を示す図であり、（２）は側面を示す図であり、（３）はＡＢ−ＡＢ断面図を示す図である。
【図４】本発明の実施形態における蓄光型照明装置１の発光部２の発光状態を説明するための図であり、（１）は上面を示す図であり、（２）は側面を示す図である。
【図５】本発明の実施形態における蓄光型照明装置１の照明部３照明光の放射状態を説明するための図であり、（１）は上面を示す図であり、（２）は側面を示す図である。
【図６】本発明の実施形態における蓄光型照明装置１の発光部２の発光を説明するためのブロック図を示すための図である。
【図７】本発明の実施形態における蓄光型照明装置１の発光及び蓄光の動作を説明するための波形を示すための図である。
【図８】従来例を説明するための断面を示す図である。
【符号の説明】
【００３２】
１      蓄光型照明装置
２      発光部
２１    光源部
２２    ソケット
２３    電源供給部
２４    ＳＷ部
２０１  カウンター
２０２  発光期間設定部
２０３  電源部
２０４  制御部
３      照明部
３１    蓄光部
３２    反射部
３３    取手
３４    保持部
【図１】
2010186579.tif 000003
【図２】
2010186579.tif 000004
【図３】
2010186579.tif 000005
【図４】
2010186579.tif 000006
【図５】
2010186579.tif 000007
【図６】
2010186579.tif 000008
【図７】
2010186579.tif 000009
【図８】
2010186579.tif 000010